(57)【要約】  本発明は、脳動脈瘤等の動脈瘤を発症した動脈内に植え込まれ、動脈瘤内への血液の流入を遮断することを目的に用いられる動脈瘤閉塞用の部材（１）である。塞栓用の部材は、一端側から他端側に亘って連続した一の流路が形成された一の筒状体（３）を備える。一の筒状体は、少なくとも３本以上の繊維（４）が互いに重なり合うことなく並列に密接させて配列された繊維束（５）を中空の筒状に編組されて構成されている。繊維束を構成する繊維は、生体適合性を有する生分解性ポリマーからなるモノフィラメントが用いられている。
2019073901.tif 000002
【特許請求の範囲】
【請求項１】
一端側から他端側に亘って連続した一の流路が形成された一の筒状体からなる動脈瘤閉塞用の部材であって、
前記一の筒状体は、少なくとも３本以上の繊維が互いに重なり合うことなく並列に配列された繊維束を中空の筒状に編組されていることを特徴とする動脈瘤塞栓用の部材。
【請求項２】
前記繊維束は、少なくとも３本以上の一連に連続する繊維が互いに重なり合うことなく密接に並列して配列されていることを特徴とする請求項１記載の動脈瘤閉塞用の部材。
【請求項３】
前記繊維束を構成する複数の繊維は、生体適合性を有する生分解性ポリマーからなることを特徴とする請求項１又は２に記載の動脈瘤塞栓用の部材。
【請求項４】
前記繊維束を構成する複数本の繊維は、生体適合性を有する同種の生分解性ポリマーからなるモノフィラメントであることを特徴とする請求項１又は２に記載の動脈瘤塞栓用の部材。
【請求項５】
前記繊維束を構成する繊維は、ポリ乳酸（ＰＬＡ）、ポリグリコール酸（ＰＧＡ）、ポリグリコール酸とポリ乳酸の共重合体、ポリジオキサノン、トリメチレンカーボネートとグリコリドとの共重合体 、ポリグリコール酸又はポリ乳酸とε−力プロラクトンとの共重合体の１又は２以上の生分解性ポリマーからなることを特徴とする請求項１〜４のいずれか１項に記載の動脈瘤塞栓用の部材。
【請求項６】
前記繊維束を構成する繊維は、ポリＬ−乳酸（ＰＬＬＡ）からなることを特徴とする請求項１〜４のいずれか１項に記載の動脈瘤塞栓用の部材。
【請求項７】
前記筒状体は、植え込まれる動脈を内側から支持する大きさに形状記憶されていることを特徴とする請求項１〜５のいずれか１項に記載の動脈瘤塞栓用の部材。
【請求項８】
前記筒状体は、植え込まれる動脈を内側から支持する（大きさに形状記憶された）状態で、１ｍｍ２当たりの開口数が３〜１０であって、開口率が１０〜３０％とされていることを特徴とする請求項７に記載の動脈瘤塞栓用の部材。
【請求項９】
前記筒状体を編組する前記繊維束は、直径を３０〜１００μｍとする繊維を互いに重なり合うことなく並列して密接させて束ねられていることを特徴とする請求項８記載の動脈瘤塞栓用の部材。
【発明の詳細な説明】
【技術分野】
【０００１】
本発明は、動脈の動脈瘤を発症させた部位若しくはその近傍に植え込み留置される動脈瘤塞栓用の部材に関する。
【背景技術】
【０００２】
血管、例えば、脳動脈の血管壁の一部に、瘤状に膨らんだ状態である動脈瘤を発症させることがある。この種の動脈瘤を発症させた部位の血管壁は、薄く脆弱となり、血液の流出入により破裂する危険が極めて高い。特に、脳動脈に生じた動脈瘤が破裂してしまうと、脳に重篤な病変を発症させるおそれがある。脳動脈瘤は、その形状が大きくなると、破裂しないまでも、周囲の脳細胞や神経を圧迫などすることにより神経系障害を発症させてしまうことがある。【０００３】
このような脳動脈の一部に発症する脳動脈瘤や、その他の動脈の一部に発症した動脈瘤の破裂や増大を防止するためには、動脈瘤を閉塞し、動脈瘤内への血液の流入を抑制することが求められている。【０００４】
動脈瘤、特に脳動脈瘤の閉塞を行うとき、脳動脈や脳動脈瘤に与える負荷を小さくし、これら脳動脈や脳動脈瘤に損傷を与えることを抑制することが望ましい。【０００５】
このような技術課題を解決して、動脈瘤を閉塞し、動脈瘤内への血液の流入を抑制する技術が提案されている。その一つとして、動脈瘤内に導入される塞栓材などを用いることなく、動脈瘤内への血液の流入を抑制、若しくは閉塞する治療法が提案され用いられている。この治療法は、筒状体よりなる部材を用いるものであって、動脈の動脈瘤を発症させた部位若しくはその近傍に上記部材を植え込み、留置することにより、動脈瘤内への血液の流入を抑制、若しくは閉塞する。【０００６】
この種の治療法に用いられる部材として、特表２００７−５２４４４９号公報（特許文献１）、特開２００８−１７３４６１号公報（特許文献２）に開示されたものがある。特許文献１に開示された部材は、超弾性金属からなるワイヤを緊密に螺旋状に巻回して形成されている。この部材は、脳動脈瘤を生じた血管内に植え込まれ、緊密に巻回されたワイヤの一部で脳動脈瘤の開口部を塞ぐようにして脳動脈内に植え込まれることにより、脳動脈瘤内への血液の流入を抑制し、脳動脈瘤内で血栓の形成を促進し、脳動脈瘤を閉塞するに至らしめる。【０００７】
特許文献２に開示される部材は、金属製のワイヤを管状に、開口の大きさ、開口の数を異にして編組した複数の管状構造体を多層に組み込んで構成したものである。この部材は、血管内に植え込まれたとき、血管の内壁に接触する最外周側に位置する管状構造体を、血流の通過を阻止するに足る大きさに形成した複数の開口を有するように編組している。【０００８】
そして、特許文献２に開示された部材は、最外周側に位置する管状構造体の少なくとも一部により、脳動脈に開口した脳動脈瘤の開口部の開口端を覆うようにして脳動脈内に植え込まれることにより、脳動脈瘤内への血液の流入を抑制し、脳動脈瘤内で血栓の形成を促進し、脳動脈瘤を閉塞にするに至らしめる。
【先行技術文献】
【特許文献】
【０００９】
【特許文献１】特表２００７−５２４４４９号公報
【特許文献２】特開２００８−１７３４６１号公報
【発明の概要】
【発明が解決しようとする課題】
【００１０】
動脈瘤の治療においては、動脈瘤内への血液の流入を確実に抑制し、動脈瘤内での血栓の形成を促進しながら、動脈瘤を発症させた動脈内には円滑な血流を確保することが望ましい。動脈内に閉塞用の部材が植え込まれ、動脈内の円滑な血流が阻害されることにより、動脈内に血栓が形成され、その血栓が閉塞用の部材の周辺に堆積してしまうと、動脈内の流路が狭くなり円滑な血流が確保できなくなるばかりか、動脈を閉塞させるおそれがある。特に、動脈のうち脳動脈が閉塞されると、脳梗塞を発症させ、身体の麻痺や発語の障害、知能や意識の障害を出現させるばかりか、生命に危険を及ぼすおそれもある。また、閉塞された脳動脈以外の主幹動脈に脳動脈瘤を発症させる危険性が増大する。【００１１】
そこで、本発明の目的は、脳動脈瘤を含む動脈瘤を発症した脳動脈やその他の動脈の保護を図り、動脈瘤に負荷を与えることなく、安全にしかも確実に動脈瘤内への血液の流入を抑制し、動脈瘤を確実に閉塞することができる動脈瘤塞栓用の部材を提供することにある。
【課題を解決するための手段】
【００１２】
上述したような目的を達成するために提案される本発明は、近位端側から遠位端側に亘って一連に連続した一の流路が形成された一の筒状体を備えた動脈瘤塞栓用の部材であって、この筒状体は、少なくとも３本以上の繊維が互いに重なり合うことなく並列に配列された繊維束を中空の筒状に編組されてなる。ここで、筒状体を構成する繊維束は、少なくとも３本以上の一連に連続する繊維が互いに重なり合うことなく密接に並列して配列されていることが望ましい。【００１３】
本発明の部材に用いられる繊維束を構成する繊維として、生体適合性を有する生分解性ポリマーからなるモノフィラメントが用いられる。なお、繊維束を構成する繊維は、さらに形状記憶特性を有し生体適合性を有する生分解性ポリマーにより形成することが望ましい。【００１４】
繊維束を構成する複数本の繊維は、生体適合性を有する同種の生分解性ポリマーからなるモノフィラメントを用いることが望ましい。【００１５】
生分解性ポリマーとしては、ポリ乳酸（ポリラクチド：ＰＬＡ）、ポリグリコール酸（ＰＧＡ）、ポリグラクチン（ポリグリコール酸とポリ乳酸との共重合体）、ポリジオキサノン、ポリグリコネート（トリメチレンカーボネートとグリコリドの共重合体）、ポリグリコール酸又はポリ乳酸とε−カプロラクトン共重合体などが用いられる。あるいは、これら材料を２以上複合した生分解性ポリマーを用いることができる。【００１６】
ここで用いる生分解性ポリマーとして、生体への安全性、生分解する期間等を考慮して、ポリＬ−乳酸（ＰＬＬＡ）を用いることが望ましい。【００１７】
本発明に係る部材を構成する筒状体は、植え込まれる脳動脈を内側から支持する外径を有する大きさに形状記憶されている。【００１８】
本発明において、繊維束は、直径を３０〜１００μｍとする繊維により構成することが望ましい。この繊維束を編組して構成された筒状体は、脳動脈内に植え込まれた拡径された状態で、１ｍｍ２当たりの開口数が３〜１０であって、開口率が１０〜３０％とされている。
【発明の効果】
【００１９】
本発明は、一の筒状体を脳動脈内に植え込むのみで、脳動脈に開口した脳動脈瘤の開口部の開口端を覆うことにより脳動脈瘤内への血液の流入を抑制することができる。そのため、本発明を採用することにより、脳動脈瘤に与える負荷を小さくしながら脳動脈瘤内への血液の流入を抑制することができる。なお、本発明は、動脈瘤を発症した他の動脈に適用したときにも、同様の利点を得ることができる。【００２０】
本発明において、筒状体は、その周壁に構成される開口の大きさを小さくするとともに、単位面積当たりの開口率を小さくすることができるので、一の筒状体の一の周壁のみで、筒状体内を流通する血液が筒状体の外周側に流出することを阻止し動脈瘤内への流入を確実に抑制できる。【００２１】
本発明は、筒状体を構成する繊維を生分解性ポリマーにより形成したことにより、血管に植え込んだ後、一定期間経過後に生体内で消失させることができるので、治療対象とする脳動脈瘤、その他の動脈瘤の治療の期間に適合した動脈瘤塞栓用の部材を構成できる。【００２２】
本発明は、筒状体の外周径を植え込まれる脳動脈を内側から支持する大きさに形状記憶することにより、動脈瘤閉塞用の部材を脳動脈等の動脈の内壁に密接して植え込みでき、脳動脈瘤、その他の動脈瘤の内部への血液の流入を一層確実に抑制できる。【００２３】
本発明は、筒状体からなる部材が血管の形状に倣って変位若しくは変形可能とされていることにより、湾曲等して変形した脳動脈等の動脈に対しても動脈の内壁に密接して植え込むことができる。【００２４】
そして、本発明を採用することにより、患者への負担を一層軽減し、脳動脈やその他の動脈の保護を図り、安全にしかも確実に動脈瘤の治療を行うことができる。
【図面の簡単な説明】
【００２５】
【図１】本発明に係る動脈瘤閉塞用の部材の一実施の形態を示す斜視図である。
【図２】動脈瘤閉塞用の部材を構成する筒状体を形成する繊維束の一部を示す部分斜視図である。
【図３】筒状体を形成する一の繊維束の断面を示す拡大断面図である。
【図４】一の筒状体に織り込まれた繊維束の一部を拡大して示す部分斜視図である。
【図５】一の筒状体に織り込まれた複数の繊維束の部分断面であって、図４のＶ−Ｖ線断面図である。
【図６】本発明に係る動脈瘤塞栓用の部材を脳動脈内に植え込んだ状態を示す概略説明図である。
【発明を実施するための形態】
【００２６】
以下、本発明を動脈瘤塞栓用の部材に適用した一実施の形態を説明する。
【００２７】
本実施の形態に係る動脈瘤塞栓用の部材（以下、単に塞栓用の部材。）は、例えば、脳動脈瘤を発症させた脳動脈内に植え込まれ、脳動脈瘤内への血液の流入を遮断することを目的に用いられる。この塞栓用の部材１は、図１に示すように、近位端側から遠位端側に亘って一連に連続して一の流路２が形成された一の筒状体３よりなる。
【００２８】
本実施の形態に係る栓塞用の部材を構成する筒状体３は、複数本の繊維４の束として構成した繊維束５を、近位端側から遠位端に亘って連続した一の流路２を形成するように織り込みあるいは編み込むなど編組して形成されている。この筒状体３を構成する繊維束５は、図２に示すように、互いに独立した複数の繊維４、本実施の形態では４本の繊維４を互いに重なり合うことなく並列に配列されている。さらに、繊維束５を構成する４本の繊維４は、図３に示すに、隣接するもの同士互いに密接して配列されている。本実施の形態に用いられる各繊維４は、全長に亘ってほぼ同径の一連に連続した長尺な線条体として形成されている。
【００２９】
なお、繊維４が密接した状態とは、隣接する繊維４間に実質的に隙間が生じないように接触して配列された状態をいう。
【００３０】
本実施の形態において、繊維束５を構成する繊維４は、人体等の生体に植え込まれたとき、生体に悪影響を与えることがない生体適合性を有する生分解性ポリマーにより形成されている。この生分解性ポリマーとしては、ポリ乳酸（ポリラクチド：ＰＬＡ）、ポリグリコール酸（ＰＧＡ）、ポリグラクチン（ポリグリコール酸とポリ乳酸との共重合体）、ポリジオキサノン、ポリグリコネート（トリメチレンカーボネートとグリコリドの共重合体）、ポリグリコール酸又はポリ乳酸とεーカプロラクトン共重合体などが用いられる。また、これら材料を２以上複合した生分解性ポリマーを用いることができる。
【００３１】
そして、繊維束５を構成する繊維４には、上述した生分解性ポリマーからなる一連に連続した長尺なモノフィラメントが用いられる。また、繊維４は、複数本のモノフィラメントを一体化して１本の線条体としたマルチフィラメントを用いたものであってもよい。
【００３２】
さらに、繊維束５を構成する繊維４は、形状記憶特性を有する生分解性ポリマーを用いて形成されることが望ましい。
【００３３】
ここで用いるモノフィラメントやマルチフィラメントは、生分解性ポリマーを溶融紡糸することにより形成される。生分解性ポリマーの溶融紡糸は、従来より用いられている溶融紡糸機を用いて、従来から採用されている方法により行うことができる。
【００３４】
そして、繊維束５を構成する繊維４は、塞栓用の部材１に要求される強度を満たし、あるいは生体に植え込んだ後の生分解の速度等の特性を考慮し、適宜の材料が選択的に用いられる。
【００３５】
さらに、繊維束５は、塞栓用の部材１に要求される弾性変位力などの物理的な強度を満たし、あるいは生体に植え込んだ後の生分解の特性を考慮し、適宜選択された生分解性ポリマーからなるモノフィラメント又はマルチフィラメントからなる繊維４の組み合わせにより構成される。また、繊維束５は、モノフィラメント及びマルチフィラメントからなる繊維４の組み合わせにより構成したものであってもよい。
【００３６】
さらに、繊維束５を構成する各繊維４は、塞栓用の部材１に要求される弾性変位力などの物理的な強度を考慮し適宜異なるポリマー材料により形成したものを組み合わせたものであってもよい。
【００３７】
本実施の形態において、繊維束５を構成する繊維４として、断面形状を円形若しくはほぼ円形をなすように溶融紡糸されたモノフィラメント又はマルチフィラメントを用いることが望ましい。このようなモノフィラメント又はマルチフィラメントを用いることにより、繊維束５を構成する各繊維４は、図３に示すように、高精度に相互に密接した状態を維持することができる。
【００３８】
本実施の形態において、筒状体３は、図２及び図３に示すように、４本の繊維４を並列に配列した複数組の繊維束５を、編組機を用いて、中空の筒状に編組して形成されている。本実施の形態において、筒状体３は、４組〜１６組の適宜組の繊維束５を編組して形成される。
【００３９】
なお、本実施の形態において、繊維束５は、４本の繊維４により構成されているが、この繊維束５に用いられる繊維４の太さや、柔軟性、強度などの物理的特性により３本〜５本の範囲で適宜選択される。
【００４０】
本実施の形態において、筒状体３は一連に連続する中空を構成するように形成されればよく、複数の繊維束５を編組する手段として、周知の手段や方法を採用することができる。例えば、中空状の組紐を編み込む方法や手段を用いることができる。
【００４１】
ところで、本実施の形態に係る塞栓用の部材１は、脳動脈内に植え込まれたとき、脳動脈をその内部から支持し得るように、拡経された状態で、その外周径Ｒ１が約２．５〜１０ｍｍの範囲で適宜選択される。そして、塞栓用の部材１は、脳動脈内に安定して植え込まれ、脳動脈瘤の開口部を確実に閉塞するため、その長さＬ１が１０ｍｍ〜１２０ｍｍの範囲で適宜選択される。
【００４２】
本実施の形態において、形状記憶特性を有する生分解性ポリマーを用いて形成された塞栓用の部材１は、脳動脈内に植え込まれたとき、脳動脈をその内部から支持する拡径された大きさに形状記憶される。この形状記憶は、周知の形状記憶方法を用いて行うことができ、例えば、編組された塞栓用の部材１を脳動脈内に植え込まれたときの大きさに保持する型枠に装着し、生分解性ポリマーからなる繊維４をガラス転移温度Ｔｇ以上の温度であって融点Ｔｍ以下の温度に加熱し、型枠の大きさに倣った大きさに変形させ、その後、ガラス転移温度Ｔｇ以下に冷却することにより行われる。
【００４３】
上述したような大きさで形成される塞栓用の部材１の筒状体３を構成する繊維束５の繊維４は、直径Ｒ２を３０μｍ〜１００μｍとする太さのものが用いられている。このような太さの繊維４の束からなる繊維束５を用いて形成される筒状体３は、周壁６の厚さを約６０μｍ〜２００μｍの範囲とすることができ、その外周径Ｒ１を約２．５ｍｍとする塞栓用の部材１であっても、その内周径を少なくとも２ｍｍ以上確保することができ、植え込まれる脳動脈に対し十分な大きさの流路を確保できる。
【００４４】
本実施の形態において、繊維束５を構成する繊維４は、塞栓用の部材１の大きさ、特に外周径Ｒ１の大きさに応じて適宜選択される。外周径Ｒ１を大きくする塞栓用の部材１にあっては、直径の大きな繊維が用いられる。
【００４５】
ところで、編組機を用いて一連に連続する中空をなす筒状体３に織り込まれた複数組の繊維束５は、図４に示すように、上下に重なりながら織り込まれる。このとき、一組の繊維束５を構成する各繊維４は、図５に示すように、互いに重ねることなく並列に配列された状態を維持している。このような繊維束５を織り込んで形成された筒状体３の周壁６は、用いる繊維４の直径Ｒ２の２倍程度の厚さＤ１となり、直径Ｒ２を３０μｍ〜１００μｍとする繊維４を用いた繊維束５を織り込んで作製された筒状体３の周壁６の厚さＤ１を約６０μｍ〜２００μｍとすることできる。
【００４６】
本実施の形態において、繊維束５を構成する繊維４は、塞栓用の部材１の大きさ、特に外周径Ｒ１の大きさに応じて適宜選択される。外周径Ｒ１を大きくする塞栓用の部材１にあっては、直径の大きな繊維４が用いられる。
【００４７】
そして、複数の繊維束５は、図４に示すように、一の筒状体３に織り込まれたとき、互いに重ね合わせられる繊維束５が近接するように織り込まれる。このとき、複数の繊維束５は、図４に示すように、それぞれ並列に互いに密接して配列された４本の繊維４が一体に織り込まれていくことにより、各繊維束５を構成する繊維４間に実質的に隙間を生じさせることなく織り込まれる。
【００４８】
ところで、塞栓用の部材１は、脳動脈に植え込まれたとき脳動脈瘤内への血液の流入を確実に遮断する機能とともに、脳動脈内に植え込み留置されるとき、蛇行、あるいは湾曲した血管に倣って容易に変位することが望ましい。
【００４９】
そこで、塞栓用の部材１を構成する筒状体３は、脳動脈に植え込まれたとき脳動脈瘤内への血液の流入を確実に遮断する機能を備えながら、蛇行、あるいは湾曲した血管に倣って容易に変位可能とするように形成される。本実施の形態では、複数の繊維束５を織り込み一の筒状体３を編組したとき、互いに隣接する繊維束５が密接することなく一定割合で開口７が形成されるよう織り込む。本実施の形態において、複数の繊維束５は、これら繊維束５を織り込んで形成された筒状体３が脳動脈内に植え込まれる大きさとされたとき、１ｍｍ２当たり３〜１０の開口数で開口７が形成され、その開口率が１０〜３０％とされて織り込まれる。
【００５０】
このような開口数、開口率で複数の繊維束５を織り込んだとき、各開口７の面積は、０．０１ｍｍ２〜０．１ｍｍ２となる。このような小さい面積の開口７が１ｍｍ２当たり１０〜３０％の開口率で形成されることにより、筒状体３内を流通する血液を筒状体３の周壁７を介して筒状体３の外周側に流出することを阻止できる。この血液の筒状体３の外周側への流出の阻止は、生体の血液が一定の粘度を有することにより、開口７の面積と開口率を上記の範囲で設定することにより実現された。
【００５１】
なお、繊維束５を構成する複数の繊維４は、筒状体３を構成するように織り込まれたときに、図３、図５に示すように、互いに密接した状態を維持しているので、これら繊維４間からの血液の流出を阻止することができる。
【００５２】
本実施の形態に係る塞栓用の部材１を構成する筒状体３は、近位端側から遠位端側に亘る長さ方向に容易に変形可能である。すなわち、筒状体３は、複数の繊維束５が上述したような割合で多数の開口７を有するように織り込まれて形成されているので、複数の繊維束５は、互いの位置を変位させながら撓み変位することが可能である。複数の繊維束５が容易に撓み変形することが可能であることにより、筒状体３の長さ方向の変形が可能であって、径方向への変形と可能となる。その結果、本実施の形態に係る塞栓用の部材１は、図６に示すように、湾曲し、あるいは屈曲等した脳動脈１０１の形状に倣って植え込みが可能となる。
【００５３】
さらに、本実施の形態に係る塞栓用の部材１は、植え込まれる脳動脈１０１を内側から支持する大きさに形状記憶されているので、脳動脈１０１の内壁との間に間隙を生じさせることなく密接させて脳動脈１０１内に植え込むことができ、脳動脈１０１に生じた脳動脈瘤１０２の開口端１０３を確実に覆うことができる。塞栓用の部材１は、脳動脈１０１内に密接して植え込まれることから、筒状体３内から脳動脈瘤１０２内への血液の流入する阻止するとともに、塞栓用の部材１と脳動脈１０１の内壁との間への血液の浸入を阻止できるので、一層確実に脳動脈瘤１０２内への血液の流入する阻止することができる。
【００５４】
脳動脈１０１内に植え込まれる塞栓用の部材１は、脳動脈１０１をその内部から支持する拡径された大きさから縮径され、生体の血管内に挿入されるカテーテルに装着され、カテーテルとともに所望の植え込み位置まで移送される。カテーテルとともに所望の植え込み位置まで移送された塞栓用の部材１は、所定の突き出し手段を用いてカテーテル内から突出され、脳動脈１０１内の所望の植え込み位置に植え込まれる。植え込み位置に植え込まれた塞栓用の部材１は、生体により加温され、形状記憶された大きさに拡径され、脳動脈１０１をその内部から所定の弾性力により支持し、脳動脈瘤１０２の開口端１０３を覆って閉塞する。
【００５５】
ところで、本発明に係る塞栓用の部材１を構成する筒状体３は、上述したように、複数の繊維束５が多数の開口７を有するように織り込まれて構成されているので、複数の繊維束５は、互いの位置を変位させながら撓み変位する。その結果、筒状体３は、その長さを可変させながら、外周径を縮径させることができる。
【００５６】
本発明に係る塞栓用の部材１は、脳動脈１０１をその内部から支持する拡径された大きさから、その外周径を小さくした縮径した状態に変形することが可能であり、脳動脈１０１内の所望の植え込み位置への容易で安全な植え込み操作を行うことができる。
【００５７】
上述の実施の形態では、本発明を脳動脈１０１に発症した脳動脈瘤１０２を閉塞することを目的とした部材に適用した例を挙げて説明したが、本発明は、脳動脈に限らずその他の動脈に発症した動脈瘤を閉塞する部材にも適用することができ、脳動脈瘤の閉塞に用いたのと同様の利点を得ることができる。
【符号の説明】
【００５８】
１  動脈瘤塞栓用の部材、３  筒状体、４  繊維、５  繊維束、７  開口、１０１  脳動脈、  １０２  脳動脈瘤、  １０３  脳動脈瘤の開口端
【図１】
2019073901.tif 000003
【図２】
2019073901.tif 000004
【図３】
2019073901.tif 000005
【図４】
2019073901.tif 000006
【図５】
2019073901.tif 000007
【図６】
2019073901.tif 000008
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
一端側から他端側に亘って連続した一の流路が形成された一の筒状体からなる動脈瘤閉塞用の部材であって、
前記一の筒状体は、少なくとも３本以上の繊維が互いに重なり合うことなく並列に配列された繊維束を中空の筒状に編組されていることを特徴とする動脈瘤塞栓用の部材。
【請求項２】
前記繊維束は、少なくとも３本以上の一連に連続する繊維が互いに重なり合うことなく密接に並列して配列されていることを特徴とする請求項１記載の動脈瘤閉塞用の部材。
【請求項３】
前記繊維束を構成する複数の繊維は、生体適合性を有する生分解性ポリマーからなることを特徴とする請求項１又は２に記載の動脈瘤塞栓用の部材。
【請求項４】
前記繊維束を構成する複数本の繊維は、生体適合性を有する同種の生分解性ポリマーからなるモノフィラメントであることを特徴とする請求項１又は２に記載の動脈瘤塞栓用の部材。
【請求項５】
前記繊維束を構成する繊維は、ポリ乳酸（ＰＬＡ）、ポリグリコール酸（ＰＧＡ）、ポリグリコール酸とポリ乳酸の共重合体、ポリジオキサノン、トリメチレンカーボネートとグリコリドとの共重合体、ポリグリコール酸又はポリ乳酸とε−カプロラクトンとの共重合体の１又は２以上の生分解性ポリマーからなることを特徴とする請求項１〜４のいずれか１項に記載の動脈瘤塞栓用の部材。
【請求項６】
前記繊維束を構成する繊維は、ポリＬ−乳酸（ＰＬＬＡ）からなることを特徴とする請求項１〜４のいずれか１項に記載の動脈瘤塞栓用の部材。
【請求項７】
前記筒状体は、植え込まれる動脈を内側から支持する大きさに形状記憶されていることを特徴とする請求項１〜５のいずれか１項に記載の動脈瘤塞栓用の部材。
【請求項８】
前記筒状体は、植え込まれる動脈を内側から支持する大きさに形状記憶された状態で、１ｍｍ２当たりの開口数が３〜１０であって、開口率が１０〜３０％とされていることを特徴とする請求項７に記載の動脈瘤塞栓用の部材。
【請求項９】
前記筒状体を編組する前記繊維束は、直径を３０〜１００μｍとする繊維を互いに重なり合うことなく並列して密接させて束ねられていることを特徴とする請求項８記載の動脈瘤塞栓用の部材。
【国際調査報告】
2019073901.tif 000009
2019073901.tif 000010
2019073901.tif 000011
2019073901.tif 000012